【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
入力画像データの輝度に関する入力輝度情報を取得する取得手段と、
表示部の表示特性に基づいて、前記入力画像データの階調特性を変換することにより、表示画像データを生成する生成手段と、
前記表示特性と前記入力輝度情報に基づいて、前記表示部が前記表示画像データに基づく画像を前記入力画像データの輝度で表示可能であることを示す情報を通知する第１通知処理と、前記表示部が前記表示画像データに基づく画像を前記入力画像データの輝度で表示可能でないことを示す情報を通知する第２通知処理との少なくとも一方を行う通知手段と、
を有することを特徴とする情報処理装置。
【請求項２】
前記表示特性は、表示に使用される輝度の範囲である表示レンジを含み、
前記生成手段は、前記表示レンジに基づいて、前記入力画像データの階調特性を変換することにより、前記表示画像データを生成する
ことを特徴とする請求項１に記載の情報処理装置。
【請求項３】
前記表示特性は、前記表示部の輝度の上限である基準輝度を含む
ことを特徴とする請求項２に記載の情報処理装置。
【請求項４】
ユーザ操作に基づいて、前記表示レンジを設定する設定手段を有する
ことを特徴とする請求項３に記載の情報処理装置。
【請求項５】
前記設定手段は、ユーザ操作に基づいて、前記基準輝度を設定する
ことを特徴とする請求項４に記載の情報処理装置。
【請求項６】
前記入力輝度情報、前記表示レンジ、及び、前記基準輝度に基づいて、前記表示部の表示特性を判断する判断手段を有し、
前記通知手段は、前記表示部が前記表示画像データに基づく画像を前記入力画像データの輝度で表示可能であると前記判断手段が判断した場合に前記第１通知処理を行い、前記表示部が前記表示画像データに基づく画像を前記入力画像データの輝度で表示可能でないと前記判断手段が判断した場合に前記第２通知処理を行う
ことを特徴とする請求項５に記載の情報処理装置。
【請求項７】
前記通知手段は、前記表示レンジの最大輝度が前記基準輝度よりも高い場合に、前記第２通知処理を行う
ことを特徴とする請求項３〜６のいずれか１項に記載の情報処理装置。
【請求項８】
前記第１通知処理と前記第２通知処理のそれぞれは、前記入力輝度情報に関連した前記輝度を通知する処理を含む
ことを特徴とする請求項１〜７のいずれか１項に記載の情報処理装置。
【請求項９】
前記第１通知処理は、
前記表示部が前記表示画像データを前記入力画像データの輝度で表示可能であることを示す第１グラフィック画像データを生成し、
前記第１グラフィック画像データを前記表示画像データに合成し、
前記第１グラフィック画像データが合成された後の表示画像データを前記表示部に出力する
処理であり、
前記第２通知処理は、
前記表示部が前記表示画像データを前記入力画像データの輝度で表示可能でないことを示す第２グラフィック画像データを生成し、
前記第２グラフィック画像データを前記表示画像データに合成し、
前記第２グラフィック画像データが合成された後の表示画像データを前記表示部に出力する
処理である
ことを特徴とする請求項１〜８のいずれか１項に記載の情報処理装置。
【請求項１０】
前記第１グラフィック画像データの色は、前記第２グラフィック画像データの色と異なる
ことを特徴とする請求項９に記載の情報処理装置。
【請求項１１】
前記第１グラフィック画像データと前記第２グラフィック画像データのそれぞれは、前記入力輝度情報に関連した前記輝度をテキストまたはレベルメータで示す画像データである
ことを特徴とする請求項９または１０に記載の情報処理装置。
【請求項１２】
前記第１グラフィック画像データと前記第２グラフィック画像データのそれぞれは、前記表示部が前記表示画像データに基づく画像を前記入力画像データの輝度で表示可能な最大輝度、前記入力画像データの取り得る輝度、及び、前記表示部が前記表示画像データに基づく画像を前記入力画像データの輝度で表示可能であるか否かを示す情報の対応関係のテーブルを示す画像データである
ことを特徴とする請求項９または１０に記載の情報処理装置。
【請求項１３】
前記入力輝度情報は、前記入力画像データの最大輝度と、前記入力画像データの平均輝度との少なくとも一方を含む
ことを特徴とする請求項１〜１２のいずれか１項に記載の情報処理装置。
【請求項１４】
前記入力輝度情報は、前記入力画像データの最大輝度を含み、
前記通知手段は、前記表示レンジの最大輝度が前記基準輝度と同じであり且つ前記入力画像データの最大輝度が前記表示レンジの最大輝度以下である場合に前記第１通知処理を行い、前記表示レンジの最大輝度が前記基準輝度と同じであり且つ前記入力画像データの
最大輝度が前記表示レンジの最大輝度よりも高い場合に前記第２通知処理を行う
ことを特徴とする請求項３〜６のいずれか１項に記載の情報処理装置。
【請求項１５】
前記入力画像データは動画像データであり、
前記入力輝度情報は、前記動画像データの全体の最大輝度を含み、
前記通知手段は、前記表示レンジの最大輝度が前記基準輝度と同じであり且つ前記動画像データの全体の最大輝度が前記表示レンジの最大輝度以下である場合に前記第１通知処理を行い、前記表示レンジの最大輝度が前記基準輝度と同じであり且つ前記動画像データの全体の最大輝度が前記表示レンジの最大輝度よりも高い場合に前記第２通知処理を行うことを特徴とする請求項３〜６のいずれか１項に記載の情報処理装置。
【請求項１６】
前記入力画像データは動画像データであり、
前記入力輝度情報は、前記動画像データの表示フレームの最大輝度を含み、
前記通知手段は、前記表示レンジの最大輝度が前記基準輝度と同じであり且つ表示フレームの最大輝度が前記表示レンジの最大輝度以下である場合に前記第１通知処理を行い、前記表示レンジの最大輝度が前記基準輝度と同じであり且つ表示フレームの最大輝度が前記表示レンジの最大輝度よりも高い場合に前記第２通知処理を行う
ことを特徴とする請求項３〜６のいずれか１項に記載の情報処理装置。
【請求項１７】
前記生成手段は、前記表示レンジの内側の階調数が前記表示レンジの外側の階調数よりも多い画像データを前記表示画像データとして生成する
ことを特徴とする請求項２〜６のいずれか１項に記載の情報処理装置。
【請求項１８】
前記生成手段は、前記表示画像データの取り得る階調値の最大値に前記表示レンジの最大輝度が対応付けられ、且つ、前記表示画像データの取り得る階調値の最小値に前記表示レンジの最小輝度が対応付けられるように、前記入力画像データの階調特性を変換する
ことを特徴とする請求項２〜６のいずれか１項に記載の情報処理装置。
【請求項１９】
前記生成手段は、前記表示レンジの外側の階調値が前記表示レンジの最大階調値にクリップされた画像データを前記表示画像データとして生成する
ことを特徴とする請求項２〜６のいずれか１項に記載の情報処理装置。
【請求項２０】
前記入力画像データは、ＨＤＲ（Ｈｉｇｈ  Ｄｙｎａｍｉｃ  Ｒａｎｇｅ）画像データである
ことを特徴とする請求項１〜１９のいずれか１項に記載の情報処理装置。
【請求項２１】
前記入力輝度情報は、前記入力画像データのメタデータに含まれており、
前記取得手段は、前記メタデータから前記入力輝度情報を取得する
ことを特徴とする請求項１〜２０のいずれか１項に記載の情報処理装置。
【請求項２２】
前記取得手段は、前記入力画像データの各画素値に基づいて、前記入力輝度情報を生成する
ことを特徴とする請求項１〜２１のいずれか１項に記載の情報処理装置。
【請求項２３】
入力画像データの輝度に関する入力輝度情報を取得するステップと、
表示部の表示特性に基づいて、前記入力画像データの階調特性を変換することにより、表示画像データを生成するステップと、
前記表示特性と前記入力輝度情報に基づいて、前記表示部が前記表示画像データに基づく画像を前記入力画像データの輝度で表示可能であることを示す情報を通知する第１通知処理と、前記表示部が前記表示画像データに基づく画像を前記入力画像データの輝度で表
示可能でないことを示す情報を通知する第２通知処理との少なくとも一方を行うステップと、
を有することを特徴とする情報処理方法。
【請求項２４】
コンピュータを、請求項１〜２２のいずれか１項に記載の情報処理装置の各手段として機能させるためのプログラム。
【手続補正２】
【補正対象書類名】明細書
【補正対象項目名】００１０
【補正方法】変更
【補正の内容】
【００１０】
本発明の第１の態様は、
入力画像データの輝度に関する入力輝度情報を取得する取得手段と、
表示部の表示特性に基づいて、前記入力画像データの階調特性を変換することにより、表示画像データを生成する生成手段と、
前記表示特性と前記入力輝度情報に基づいて、前記表示部が前記表示画像データに基づく画像を前記入力画像データの輝度で表示可能であることを示す情報を通知する第１通知処理と、前記表示部が前記表示画像データに基づく画像を前記入力画像データの輝度で表示可能でないことを示す情報を通知する第２通知処理との少なくとも一方を行う通知手段と、
を有することを特徴とする情報処理装置である。
【手続補正３】
【補正対象書類名】明細書
【補正対象項目名】００１１
【補正方法】変更
【補正の内容】
【００１１】
本発明の第２の態様は、
入力画像データの輝度に関する入力輝度情報を取得するステップと、
表示部の表示特性に基づいて、前記入力画像データの階調特性を変換することにより、表示画像データを生成するステップと、
前記表示特性と前記入力輝度情報に基づいて、前記表示部が前記表示画像データに基づく画像を前記入力画像データの輝度で表示可能であることを示す情報を通知する第１通知処理と、前記表示部が前記表示画像データに基づく画像を前記入力画像データの輝度で表示可能でないことを示す情報を通知する第２通知処理との少なくとも一方を行うステップと、
を有することを特徴とする情報処理方法である。
【手続補正４】
【補正対象書類名】明細書
【補正対象項目名】００１２
【補正方法】変更
【補正の内容】
【００１２】
本発明の第３の態様は、コンピュータを、上述した情報処理装置の各手段として機能させるためのプログラムである。